(57)【要約】      （修正有）【課題】フィルムの端部間に段差などが発生せず漏れ出てしまった接着剤などによる製品への付着が発生せず、突き合わせ部に適正なスプロケットホールを具備したフィルム接合体及びこのフィルム接合体を形成するためのスプライシングテープ、ならびにこのスプライシングテープによるフィルムの接合方法を提供する。【解決手段】フィルムの端部同士を突き合わせて、端部間に跨がるように貼り合わされるスプライシングテープ２０または２４であって、片面に第１粘着層が６設けられたポリイミド製芯材シート４と、第１粘着層６を介して剥離可能に配置された保護テープ８とを備え、場合によっては反対側の面に補強用テープ２２を配置し、ポリイミド製芯材シート４と第１粘着層６と保護テープ８には、スプロケットホールに対応する若干大きめの貫通孔１２２，１４４を形成しておき、このテープを用いてフィルム１０，１０の端部間を貼り合わせたことを特徴としている。【選択図】図２
2010120344.tif 000002
【特許請求の範囲】
【請求項１】
接合すべき２つのフィルムに形成されたスプロケットホールより大きな貫通孔を有し、樹脂製芯材シートとその片面に形成された第１粘着層が、前記スプロケットホールの開口を塞がないように前記２つのフィルムの片面あるいは両面に貼り付けられていることを特徴とするフィルム接合体。
【請求項２】
前記樹脂製芯材シートの長さが前記フィルムの幅より若干短いことを特徴とする請求項１に記載のフィルム接合体。
【請求項３】
前記樹脂製芯材シートがポリイミド製であることを特徴とする請求項２に記載のフィルム接合体。
【請求項４】
スプロケットホールが所定間隔置きに形成された２つのフィルムの端部同士を突き合わせて配置するとともに、これら突き合わされたフィルムの端部間に跨がるように貼り合わされるスプライシングテープであって、
片面に第１粘着層が設けられた樹脂製芯材シートと、
前記樹脂製芯材シートの前記第１粘着層が設けられた面に剥離可能に配置された保護テープと、を備え、
前記樹脂製芯材シートと前記第１粘着層には、予め、前記スプロケットホールに対応する貫通孔が形成されており、この貫通孔の径は、前記フィルムに形成されたスプロケットホールの径よりも大きく設定されていることを特徴とするスプライシングテープ。
【請求項５】
前記樹脂製芯材シートの前記第１粘着層が設けられた面と反対側の面に、第２粘着層を介して補強用テープが貼着され、
前記樹脂製芯材シートと前記第２粘着層との間の粘着力は、前記保護テープと前記第１粘着層との間の粘着力よりも大きくされていることを特徴とする請求項４に記載のスプライシングテープ。
【請求項６】
前記樹脂製芯材シートが、ポリイミド製であることを特徴とする請求項４または５に記載のスプライシングテープ。
【請求項７】
スプロケットホールが所定間隔置きに形成された２つのフィルムを接合するに際し、
請求項４に記載のスプライシングテープを、前記フィルムの幅と同じか、または若干短く切断する切断工程と、
切断されたスプライシングテープから保護テープを剥離する剥離工程と、
前記剥離工程により露出した第１粘着層を、２つのフィルムの突き合わせ部間に跨って貼り付けるフィルム貼付工程と、を備え、
前記フィルム貼付工程では、被接合部材である２つのフィルムに予め形成されたスプロケットホールと、前記スプライシングテープに予め形成された貫通孔とを合致させて貼り付けることを特徴とするフィルムの接合方法。
【請求項８】
スプロケットホールが所定間隔置きに形成された２つのフィルムを接合するに際し、
請求項５に記載のスプライシングテープの少なくとも樹脂製芯材シートを、前記フィルムの幅と同じか、または若干短く切断する切断工程と、
切断されたスプライシングテープから保護テープを剥離する剥離工程と、
前記剥離工程により露出した第１粘着層を、２つのフィルムの突き合わせ部間に跨って貼り付けるフィルム貼付工程と、
前記樹脂製芯材シートから第２粘着層付き補強用テープを剥離する補強用テープ剥離工程と、を備え、
前記フィルム貼付工程では、被接合部材である２つのフィルムに予め形成されたスプロケットホールと、前記スプライシングテープに予め形成された貫通孔とを合致させて貼り付けることを特徴とするフィルムの接合方法。
【発明の詳細な説明】
【技術分野】
【０００１】
本発明は、フィルム接合体およびこのフィルム接合体を形成するためのスプライシングテープ、ならびにこのスプライシングテープによるフィルムの接合方法に関する。
【背景技術】
【０００２】
従来より、フィルム、例えば、電子部品実装用フィルムキャリアテープ（ＴＡＢ（Tape
Automated Bonding）テープ、ＣＯＦ（Chip ON Film）テープ、Ｔ-ＢＧＡ(Tape Ball Grid Array)テープ、ＡＳＩＣ（Application Specific Integrated Circuit）テープなど）（以下、単に「フィルムキャリアテープ」と言う。）に対して、フィルムキャリアテープの接合すべき端部同士を、または、フィルムキャリアテープとリードテープの端部同士を、ハンドスプライサーあるいはオートスプライサーを用いて接着テープによって相互に接合することが行われている。
【０００３】
例えば、一条のフィルムキャリアテープを接合する方法としては、特許文献１に開示されたハンドスプライサー方式の接合装置を用いる方法が知られている。
このスプライサー方式のフィルム接合装置２００では、例えば、図７に示したように、２つのフィルムキャリアテープ２０４の接合すべき切断端部２０６同士を、一対のガイド部材２１２、２１４の上に配置するとともに、相互に突き合わされた２つのフィルム２０４，２０４の端部同士間に、スプライシングテープ２１６を配置し、上方からスプライスアーム２２２を圧下することにより、スプライシングテープ２１６をフィルムキャリアテープ２０４、２０４間の接合すべき突き合わせ部分に接着している。そして、この接合装置では、スプライシングテープ２１６の接着と同時に、パンチ穴２２６を介して、図示しない一対の穿孔用パンチ部材が、押さえプレート２２４から下方に突出して、スプロケットホールを塞ぐスプライシングテープ２１６にスプロケット２３２と略同サイズかあるいは若干小さいサイズの貫通孔を穿孔している。
【０００４】
ところで、最近では、長尺の一本のテープの両端付近に配置された一対のスプロケットホール間に、１列あるいは多列に、複数のフィルムキャリアが形成された一条のフィルムキャリアテープ２０４に代えて、長尺の一本のテープに複数条のフィルムキャリアが形成された多条のフィルムキャリアテープが広く使用されている。なお、多条のフィルムキャリアテープには、その幅方向両端に搬送用のスプロケットホールがさらに追加して配置される場合がある。
【０００５】
上記のように、スプライシングテープ２１６で２枚のフィルムキャリアテープ２０４，２０４の端部同士を突き合せて接合した場合、接合によりスプライシングテープ２１６で塞がれてしまったスプロケットホール２３２をパンチで穿設しようとすると、多条のフィルムキャリアテープの場合、スプロケットホールの孔数が一条の場合に比較して多いので、穿設時に微細なバリや切り屑がより多く発生し、フィルムキャリアの異物、コンタミの原因となっていた。
【０００６】
加えて、パンチなどの打ち抜きにより、特にスプロケットホールのサイズよりやや小さいサイズの貫通孔を形成しようとした場合には、スプライシングテープを接合部の上下両面に貼り合わせた場合、上下の接着剤層の一部の接着剤がパンチの刃に付着して切れ味を悪くするという問題、また、スプロケットホールに付着し、さらにスプロケットホールに付着した接着剤が他のスプロケットホールに付着して搬送上のトラブル等を引き起こすという問題があった。
【０００７】
多条のフィルムキャリアテープの端部間を接合する別の方法としては、例えば、特許文献２に開示された方法がある。
この特許文献２では、多条フィルムの接合すべき端部間に接着剤を介在させ、この接着剤層を挟むように両端部間を重ね合わせるとともに、その後、ブロックヒータなどの適宜な加熱加圧手段で、上記接着層を溶融、硬化させて多条フィルム間同士を接合している。
【０００８】
ところが、この特許文献２の方法で２つのフィルム間を接合しようとすると、フィルム間の重ね合わせ部に段差が生じてしまい、結果として、その後の搬送や使用勝手に不都合が生じてしまう。
【特許文献１】特開２００２−２０７２８６号公報
【特許文献２】特開２００８−２６３１８３号公報
【発明の開示】
【発明が解決しようとする課題】
【０００９】
本発明は、このような従来の実情に鑑み、２つのフィルムの端部間を繋ぎ合わせて接続する場合に、フィルムの端部間に段差などが発生せず、また漏洩した接着剤による製品への付着が発生せず、さらには突合せ部であっても適正なスプロケットホールを具備させることができ、加えて幅が広くなる多条フィルムを接合する場合であっても、接着領域に皺などが発生せずに、容易かつ適正に表面を接合されたフィルム接合体およびこのフィルム接合体を形成するためのスプライシングテープ、ならびにこのスプライシングテープによるフィルムの接合方法を提供することを目的としている。
【課題を解決するための手段】
【００１０】
上記目的を達成するための本発明に係るフィルム接合体は、
接合すべき２つのフィルムに形成されたスプロケットホールより大きな貫通孔を有し、樹脂製芯材シートとその片面に形成された第１粘着層が、前記スプロケットホールの開口を塞がないように前記２つのフィルムの片面あるいは両面に貼り付けられていることを特徴としている。
【００１１】
ここで、本発明に係るフィルム接合体では、前記樹脂製芯材シートの長さが前記フィルムの幅より若干短いことが好ましい。
さらに、本発明に係るフィルム接合体では、前記樹脂製芯材シートがポリイミド製であることが好ましい。
【００１２】
本発明に係るスプライシングテープは、
スプロケットホールが所定間隔置きに形成された２つのフィルムの端部同士を突き合わせて配置するとともに、これら突き合わされたフィルムの端部間に跨がるように貼り合わされるスプライシングテープであって、
片面に第１粘着層が設けられた樹脂製芯材シートと、
前記樹脂製芯材シートの前記第１粘着層が設けられた面に剥離可能に配置された保護テープと、を備え、
前記樹脂製芯材シートと前記第１粘着層には、予め、前記スプロケットホールに対応する貫通孔が形成されており、この貫通孔の径は、前記フィルムに形成されたスプロケットホールの径よりも大きく設定されていることを特徴としている。
【００１３】
このようなフィルム接合体およびこのフィルム接後体を形成するためのスプライシングテープであれば、フィルム間を貼り合わせた後の工程で、スプロケットホールの塞がれた孔を開口する必要がないので、バリ、切り屑の発生がなく、はみ出した接着剤によるトラブルを少なくすることができるとともに、スプライシングテープには大径の貫通孔が予め
形成されているので、既に形成されている被接合部材のスプロケットホールを覆い隠してしまうことがない。
【００１４】
したがって、突合せ接合端部に所定のスプロケットホールを具備させることができる。
ここで、本発明に係るスプライシングテープは、
前記樹脂製芯材シートの前記第１粘着層が設けられた面と反対側の面に、第２粘着層を介して補強用テープが貼着され、
前記樹脂製芯材シートと前記第２粘着層との間の粘着力は、前記保護テープと前記第１粘着層との間の粘着力よりも大きくされていることが好ましい。
【００１５】
このような構成であれば、保護テープを引き剥がすときに、補強用テープが剥がれてしまうことはない。
ここで、前記樹脂製芯材シートが、ポリイミド製であることが好ましい。
【００１６】
また、本発明に係るフィルムの接合方法では、
スプロケットホールが所定間隔置きに形成された２つのフィルムを接合するに際し、
上記に記載のスプライシングテープを、前記フィルムの幅と同じか、または若干短く切断する切断工程と、
切断されたスプライシングテープから保護テープを剥離する剥離工程と、
前記剥離工程により露出した第１粘着層を、２つのフィルムの突き合わせ部間に跨って貼り付けるフィルム貼付工程と、を備え、
前記フィルム貼付工程では、被接合部材である２つのフィルムに予め形成されたスプロケットホールと、前記スプライシングテープに予め形成された貫通孔とを合致させて貼り付けることを特徴としている。
【００１７】
このような方法で２つのフィルム間を接合する場合には、接合部に段差が生じることもなく、また後の工程で、塞がれた孔を開口する必要もないので、バリ、切り屑の発生が少なく、はみ出した接着剤によるトラブルを少なくすることができる。また、接着剤を介在させて加圧することもないので、粘着剤が漏れ出てしまうこともない。
【００１８】
また、本発明に係る他のフィルムの接合方法は、
スプロケットホールが所定間隔置きに形成された２つのフィルムを接合するに際し、
上記に記載のスプライシングテープの少なくとも樹脂製芯材シートを、前記フィルムの幅と同じか、または若干短く切断する切断工程と、
切断されたスプライシングテープから保護テープを剥離する剥離工程と、
前記剥離工程により露出した第１粘着層を、２つのフィルムの突き合わせ部間に跨って貼り付けるフィルム貼付工程と、
前記樹脂製芯材シートから第２粘着層付き補強用テープを剥離する補強用テープ剥離工程と、を備え、
前記フィルム貼付工程では、被接合部材である２つのフィルムに予め形成されたスプロケットホールと、前記スプライシングテープに予め形成された貫通孔とを合致させて貼り付けることを特徴としている。
【００１９】
このような方法で２つのフィルム間を接合する場合には、仮に長い接着領域をスプライシングテープで接合する場合であっても、補強用テープが具備されているために、この補強用テープにより樹脂製芯材シートの配置位置を直線的に案内することができ、その結果、樹脂製芯材シートが湾曲して接着領域に貼られてしまったりすることがない。また、接着領域に皺が入ってしまうこともない。
【発明の効果】
【００２０】
本発明に係るフィルム接合体では、接合すべき２つのフィルムのスプロケットホールより大きな貫通孔を有するスプライシングテープで片面あるいは両面が接合されているので、貼り合せた後にスプライシングテープに貫通孔を形成する必要がない。したがって、高価なスプライス、パンチ一体型のスプライサー装置が不要となるのは勿論のこと、バリやはみ出しによる粘着剤の転移が発生して、製品価値が損なわれることがない。
【００２１】
すなわち、本発明に係るスプライシングテープでは、２つのフィルムの端部間を接合するにあたり、予めスプロケットホールに対応する貫通孔が形成されているので、パンチで貫通孔を形成する場合に生じるバリや切り屑による異物発生がない。また、開口部には、はみ出した接着剤の転移などが発生することがない。しかもそのスプロケットホールに相当する貫通孔は、既存のスプロケットホールの径に比べて大径に形成されているので、既存のスプロケットホールを隠してしまうことがない。これにより、全体の開口部を確実に開口させることができる。
【００２２】
さらに、スプライシングテープを貼り付けた後にパンチ力で孔を開ける作業が不要なので、接着剤の周囲への漏れが生じることがない。
また、樹脂製芯材シートの保護テープとは反対側の面に補強用テープを介在させたスプライシングテープの場合には、片側に樹脂製芯材シートより腰の強い補強用テープが介在されているため、これにより幅の長いフィルムキャリアテープ間を接合する場合であっても、皺などが発生せず確実にスプライシングテープを案内させてフィルムの突合せ端部同士を貼り合わせることができる。
【発明を実施するための最良の形態】
【００２３】
以下、本発明に係るフィルム接合体およびこのフィルム接合体を形成するためのスプライシングテープ、ならびにこのスプライシングテープによるフィルムの接合方法について説明する。
【００２４】
なお、本明細書において、スプライシングテープとは、２つのフィルムを接合するために使用されるテープであり、少なくとも、樹脂製芯材シートとその片面に粘着層（第１粘着層）を備えたものをいう。
【００２５】
また、このようなスプライシングテープには、第１粘着層を介して樹脂製芯材シートと保護テープが貼着された全体が３層構造の保護テープ付きスプライシングテープと、第１粘着層を介して樹脂製芯材シートと保護テープが貼着され、さらに第２粘着層を介して樹脂製芯材シートと補強用テープが貼着された全体が５層構造の補強用テープ付きスプライシングテープの２通りがあるが、便宜上、両方とも単にスプライシングテープとして記載する。
【００２６】
図１は本実施例の一実施例によるフィルム接合体を形成するためのスプライシングテープ２の長さ方向の断面図、図２はこのスプライシングテープ２を用いて２枚の電子部品実装用フィルムキャリアテープ（以下、フィルムという）１０，１０の端部同士が接合されたフィルム接合体２０の平面図である。一方のフィルム１０は、リードテープであっても良い。
【００２７】
なお、図２には、各条に形成されたスプロケットホール１４以外に、製造中に搬送用あるいは位置決め用などに使用されるスプロケットホール１２がフィルムの幅方向両端部に形成されている。
【００２８】
すなわち、図２では、右側に配した二条のフィルム１０のスプロケットホール部のセンターで切断された左側端部１０ａと、左側に配した二条のフィルム１０のスプロケットホ
ール部のセンターで切断された右側端部１０ｂとが、図３に示したような治具を用いて、中央のラインＬ，Ｌで突き合わされ、スプライシングテープ２で接合されている。なお、二条のフィルム１０の幅方向両端部に所定間隔置き、すなわち所定の等ピッチで形成されたスプロケットホール１２と、これらスプロケットホール１２の列の内側に条の数に応じて幅方向所定間隔置きに、長手方向等ピッチ間隔で形成された、例えば客先で実装時の搬送用等に使用されるスプロケットホール１４とは孔サイズが異なっていても良い。
【００２９】
また、フィルムの切断箇所はスプロケットホール部の中央ラインでなくても、スプロケットホール間の中央ラインでも良く、所定のルールを決めて切断すれば良い。
このスプライシングテープ２は、図１に示したように、樹脂製芯材シート４と該芯材シート４の片面に形成された第１粘着層６と第１粘着層６が設けられた面に剥離可能に配置された保護テープ８とから構成されている。芯材シート４の材質は特に限定されないが、フィルム１０の絶縁層と同じ材質、例えば、ポリイミド樹脂であることが好ましい。
【００３０】
このようにすれば、製造中にフィルムが加熱処理されてもフィルムとスプライシングテープとの材質の違いによる線膨張係数の違いに起因した接合部の歪が発生しない。
第１粘着剤層６は、従来公知のどのような粘着剤を用いても良いが、ポリイミド製芯材シート４と第１粘着層６との間の粘着力は、保護テープ８との粘着力よりも大きいものが用いられている。
【００３１】
したがって、図１に示したように、例えば、保護テープ８の長さ方向の一端８ａを持ってポリイミド製芯材シート４から引き離すように引っ張れば、第１粘着層６をポリイミド製芯材シート４側に残存させた状態で保護テープ８のみを剥離することができる。
【００３２】
このスプライシングテープ２の使用長さＡは、図２に示したように、接合すべき接着領域Ａの長さに合うように設定され、フィルム１０の幅をＴとした場合、Ｔより０〜２ｍｍ短く、好ましくは第１粘着層６の接着剤が使用長さＡの領域より外方に飛び出していても、フィルム１０の幅方向端部よりはみ出してハンドリング中に他の部材、設備に付着してトラブルを発生しないように、Ｔより０．５〜１ｍｍ短いのが良い。なお、Ｔは３５〜３５０ｍｍ、好ましくは７０〜２００ｍｍである。例えば、二条のフィルム１０の幅Ｔが１５６ｍｍである場合に、スプライシングテープ２の長さＡ（接着領域Ａ）は１５５ｍｍであり、この長さのスプライシングテープ２が多数形成されて使用される。
【００３３】
一方、本実施例のスプライシングテープ２は、保護テープ８からポリイミド製芯材シート４との厚さ方向に、図４に拡大して示したように、所望とする大きさの貫通孔１２２，１４４が形成されている。この貫通孔（後にスプロケットホールとして使用される）１２２，１４４の形成位置、および大きさは、接合すべき下方のフィルム１０に形成されたスプロケットホール１２，１４のピッチに対応しており、大きさは、これより若干大きな径で形成されていて、スプロケットホール１２，１４のサイズより２００〜１０００μｍ大きい。
【００３４】
例えば、フィルム１０に形成されたスプロケットホール１２、１４のサイズは１．４２ｍｍ角や、１．９８１ｍｍ角であるが、対応する貫通孔１４４，１２２は、それよりも６００μｍ程大きくなるように設定されている。これは、後述するように貼り合わせの時のズレに余裕を持たせることと、貫通孔１２２，１４４にできたバリや飛び出した粘着層がスプロケットホール１２，１４の開口部にかかり後工程でトラブルの原因とならないようにするためである。
【００３５】
このように、本実施例のスプライシングテープ２では、予めスプロケットホール１２，１４に相当する位置に、貫通孔１２２，１４４が形成されている。そして、このスプライ
シングテープ２が、図２に示したように、二条フィルム１０、１０の両端部１０ａ、１０ｂ間に跨るように外方から接着される。
【００３６】
このとき、先ずスプライシングテープ２の下面に配置された保護テープ８が剥離され、その剥離された部分に露出した貫通孔１２２，１４４を、フィルム１０，１０のスプロケットホール１２，１４に合致させる。なお、搬送や位置決め等に使用されるのはスプロケットホール１２，１４であるので、スプロケットホール１２，１４の中心と貫通孔１２２，１４４の中心を厳密に一致させる必要はなく、貫通孔１２２，１４４にできたバリ６０や飛び出した粘着層７０などがスプロケットホール１２，１４の開口領域にはみ出していなければ、ずれていても問題はない（図５参照）。
【００３７】
このように貼り合わせる上下面の貫通孔とスプロケットホール間を合致させてスプライシングテープ２をフィルム１０，１０間に貼着する。
なお、この作業は、例えば、図３のような固定台４０にフィルム１０，１０の所定のスプロケットホールを位置決めピンに差し込んでセットして目視で行っても良いし（ハンドスプライスの場合）、ＣＣＤカメラなどを用いて画像処理により自動的に位置合わせして接合しても良い（オートスプライスの場合）。いずれにしても、スプライシングテープ２に、予め大きな貫通孔１２２，１４４がスプロケットホール用として形成されているので、位置合わせは容易に行なうことができる。
【００３８】
このようにして、接合すべきフィルム１０，１０間の片面にスプライシングテープ２が接合されたフィルム接合体２０が形成される。
ここで、接合部に引張り強度を持たせたい場合には、反対側の面にもスプライシングテープ２を接合することが好ましい。
【００３９】
このように、スプライシングテープ２が片面のみの使用であるか、両面に使用されたものであるかは、フィルム接合体２０の使用勝手により適宜決定すれば良い。
なお、スプライシングテープ２に形成される貫通孔１２２，１４４は、保護テープ８からポリイミド製芯材シート４間に渡って、例えばパンチングにより形成されているが、場合によっては、芯材シート４と第１粘着層６のみに形成しても良い。
【００４０】
このような本実施例によれば、スプライシングテープ２の長さＡを、二条フィルム１０の幅Ｔより若干短く設定することにより、フィルム接合体２０の両端部１５０、１５０から第１粘着層６がはみ出てしまうことはない。
【００４１】
また、スプライシングテープ２を貼り付けた後に、後の作業としてスプロケットホールを穿設する必要がない。また、予め大きい径のスプロケットホール用の貫通孔１２２，１４４が形成されているので、既存のスプロケットホール１２，１４に厳密に合致させる必要はなく、貼り合わせ作業は容易である。
【００４２】
さらに、後の工程でパンチなどによる穿設を必要としない本実施例では、穿設時に起きるスプライシングテープ２からの粘着剤の漏れが発生しない。したがって、粘着剤の製品への転写が生じることもない。
【００４３】
なお、電子部品実装用フィルムキャリアテープの場合、スプロケットホールの穿設、フォトレジストの露光・現像、エッチング、メッキ、ソルダーレジスト層形成等の工程を経て製造され、また、電気検査、ＡＯＩ（Automatic Optical Inspection）、外観検査等の検査を経て、最後に編集されて実装メーカーに出荷されるが、本発明はどの段階においても実施可能である。
【００４４】
以上、本発明の一実施例について説明したが、本発明は上記実施例に何ら限定されない。
例えば、上記実施例では、ポリイミド製芯材シート４と保護テープ８とが第１粘着層６を介して積層された保護テープ付きスプライシングテープ２を説明したが、これに代え、図６に示したように、ポリイミド製芯材シート４の第１粘着層６が設けられた面と反対側の面に、さらに第２粘着層１８を介して補強用テープ２２を貼着した補強用テープ付きスプライシングテープ２４を採用することもできる。
【００４５】
その場合、補強用テープ２２と第２粘着層１８との間の粘着力は、図６に示したように、ポリイミド製芯材シート４と第２粘着層１８との間の粘着力よりも大きくされていることが好ましい。第２粘着層１８の粘着力がこのように設定されていれば、図６に示したように、補強用テープ２２の一端部２２ａを持ってポリイミド製芯材シート４から引き離すように引っ張れば、第２粘着層１８を補強用テープ２２側に残存させた状態で補強用テープ２２のみを剥離することができるので、長尺のフィルムをリールに巻回したときにフィルム同士が接着することがない。
【００４６】
さらに、芯材シート４と第２粘着層１８との間の粘着力は、保護テープ８と第１粘着層６との間の粘着力よりも大きくされているので、保護テープ８を剥がすときに補強用テープ２２が剥がれてしまうことはない。
【００４７】
このような補強用テープ付きスプライシングテープ２４を用いる場合は、スプライシングテープ２４が図２に示した接着領域Ａの長さごとに接合用として使用されるため、補強用テープ付きスプライシングテープ２４を長尺物のまま使用する場合にはテープ２４から、切り離しが容易となるように、長さＡごとに切り込みを入れておくことが好ましい。すなわち、例えば、保護テープ８側からカッターを入れ、そのカッターを第１粘着層６、ポリイミド製芯材シート４まで挿入して、切り込みを形成しておく。このようにして切り込みを形成すれば、長尺の補強用テープ２２を剥がしていく段階で、長さＡのスプライシングテープ（ポリイミド製芯材シート４と第１粘着層６）をフィルム１０側に残すことができる。なお、ポリイミドは着色透明であるので、補強用テープ２２に、無色透明の材質を使用すれば、貼り合わせの位置決めが容易となる。
【００４８】
なお、貫通孔１２２，１４４は、保護テープ８から芯材シート４にかけて貫通して形成して、後から補強用テープ２２を積層しても良いし、保護テープ８から補強用テープ２２まで、例えばプレス機を用いて一気に貫通して形成しても良い。
【００４９】
このようなスプライシングテープ２４は、例えば３条のフィルムなど、幅Ｔが７０ｍｍ以上の幅広の多条フィルムを突き合わせて接合する場合に、有効に用いることができる。
なお、図６に示したような補強用テープ付きのスプライシングテープ２４の場合は、補強用テープ２２は保護テープ８や芯材シート４よりも内厚とするのが良く、０．０５〜０．２ｍｍ、好ましくは０．０７５〜０．１５ｍｍが良い。肉厚の補強用テープ２２は、長い接着領域Ａを貼り合わせていくときに、芯材シート４の案内部材として機能させることができる。そして、使用後には、芯材シート４から剥離すればよい。
【００５０】
すなわち、このスプライシングテープ２４を使用して２つのフィルム１０，１０の端部間同士を、あるいは１つのフィルムと１つのリードテープとの端部間同士を接着する場合は、先ず図１の場合と同様に下面の保護テープ８を剥離し、その状態で、上下の貫通孔１２２とスプロケットホール１２および貫通孔１４４とスプロケットホール１４間を合致させ、スプライシングテープ２４を端部間に跨って接着する。このとき、ポリイミド製芯材シート４の上側には、補強用テープ２２が介在されているので、長い領域Ａを貼り付ける場合であっても、その補強用テープ２２が案内部材として機能するので、被接着面に対し
ポリイミド製芯材シート４が湾曲してしまうことがない。また、皺がよってしまうこともない。
【００５１】
しかる後、上側の補強用テープ２２が剥離される。
これにより、第１粘着層６とポリイミド製芯材シート４とで接合された所定のフィルム接合体２０を得ることができる。
【００５２】
また、補強用テープ２２を備えたスプライシングテープ２４を用いる場合も、フィルム接合体の片面に貼着しても、あるいは両面に貼着しても良い。
以上説明したように、本発明によるフィルム接合体およびこのフィルム接合体を形成するためのスプライシングテープ、ならびにこのスプライシングテープによるフィルムの接合方法によれば、バリ６０や飛び出した接着層７０によるトラブルが発生せず、フィルム間を接合した後に、スプロケットホールなどの孔を穿設する必要がない。また、多条のフィルムの長い接着領域Ａを接合する場合にも適用可能で、周囲に粘着剤が漏れ出てしまうことはない。したがって、今日使用されている多条フィルム同士の接合に有効に適用することができる。
【図面の簡単な説明】
【００５３】
【図１】図１は、本発明の一実施例に係るフィルム接合体を形成するのに使用されたスプライシングテープの長さ方向の断面図である。
【図２】図２は、図１に示したスプライシングテープを用いて２つの２条フィルムの端部同士が接合されたフィルム接合体の平面図である。
【図３】図３は、本発明の一実施に係るフィルム接合体を形成するときに用いられる治具の一例を示す斜視図である。
【図４】図４は、図２に示したスプライシングテープの一部拡大図である。
【図５】図５は、スプライシングテープの中央ラインが下方のフィルムに対してずれてしまうととともに、粘着剤のはみ出しやバリが形成されてしまった場合の図４相当図である。
【図６】図６は、本発明の他の実施例により使用されるスプライシングテープの断面図である。
【図７】図７は、特開２００２−２０７２８６号公報に開示されたフィルム接合装置の斜視図である。
【符号の説明】
【００５４】
２      スプライシングテープ
４      ポリイミド製芯材シート
６      第１粘着層
８      保護テープ
１０    ２条フィルム（被接合部材）
１２，１４  スプロケットホール
１８    第２粘着層
１２２，１４４  貫通孔
２０    フィルム接合体
２４    スプライシングテープ
６０    バリ
７０    飛び出した粘着層
Ａ      接着領域
Ｔ      幅
【図１】
2010120344.tif 000003
【図２】
2010120344.tif 000004
【図３】
2010120344.tif 000005
【図４】
2010120344.tif 000006
【図５】
2010120344.tif 000007
【図６】
2010120344.tif 000008
【図７】
2010120344.tif 000009